(57)【要約】【課題】帯電ローラ全面に、清掃回転ブラシを接触させて清掃することで効率よく短時間で、複数本の帯電ローラを清掃することができ、又清掃品質のばらつきがなく帯電ロ−ラ上に付着・固着したトナ−及び紙粉を除去することができる帯電ローラの清掃装置を提供する【解決手段】帯電ローラ６の清掃装置本体１の清掃室９の内部に回転ブラシ７を設けるとともに、清掃室９の上部に着脱可能に開閉蓋３を設け、清掃室９に回転ブラシ７を回転させる駆動部材を設け、開閉蓋３の裏面に帯電ローラ６を回転ブラシ７の表面に圧接して回転するように支持する回転ブラシ支持部材１１を設け、回転ブラシ７の回転によって、帯電ロ−ラ６上に固着・付着したトナ−及び紙粉を清掃する。【選択図】          図１
2004264477.tif 000002
【特許請求の範囲】
【請求項１】
清掃装置本体の清掃室の内部に回転ブラシを設けるとともに、清掃室の上部に着脱可能に開閉蓋を設け、清掃室に回転ブラシを回転させる駆動部材を設け、開閉蓋の裏面に帯電ローラを回転ブラシの表面に圧接して回転するように支持する回転ブラシ支持部材を設け、回転ブラシの回転によって、帯電ロ−ラ上に固着・付着したトナ−及び紙粉を清掃することを特徴とする帯電ローラの清掃装置。
【請求項２】
帯電ロ−ラを回転ブラシ上に乗せて接触させ、回転ブラシの回転によって帯電ロ−ラ上に固着・付着したトナ−及び紙粉を清掃することを特徴とする請求項１に記載の帯電ローラの清掃装置。
【請求項３】
回転ブラシの毛の直径を０．５ｍｍ〜０．０５ｍｍとしたことを特徴とする請求項１又は２に記載の帯電ローラの清掃装置。
【請求項４】
帯電ロ−ラを回転ブラシへ低圧力で接触させ、ブラシの回転によって帯電ロ−ラを連れ回りさせることを特徴とする請求項１ないし３のいずれかに記載の帯電ローラの清掃装置。
【請求項５】
清掃装置本体の清掃室の内部に回転ブラシを設けるとともに、清掃室の上部に着脱可能に開閉蓋を設け、清掃室に回転ブラシを回転させる駆動部材を設け、開閉蓋の裏面に帯電ローラを回転ブラシの表面に圧接して回転するように支持する回転ブラシ支持部材を設け、清掃室へ給水する給水手段を設けていることを特徴とする帯電ローラの清掃装置。
【請求項６】
帯電ロ−ラを回転ブラシ上へ乗せて接触させ、回転ブラシの回転によって、帯電ロ−ラ上に固着・付着したトナ−及び紙粉を清掃することを特徴とする請求項５に記載の帯電ローラの清掃装置。
【請求項７】
回転ブラシの毛の直径を０．５ｍｍ〜０．０５ｍｍとしたことを特徴とする請求項５又は６に記載の帯電ローラの清掃装置。
【請求項８】
帯電ロ−ラを回転ブラシへ低圧力で接触させ、回転ブラシの回転によって帯電ロ−ラを連れ回りさせることを特徴とする請求項５ないし７のいずれかに記載の帯電ロ−ラの清掃装置。
【請求項９】
請求項１ないし８のいずれかに記載の帯電ローラの清掃装置により清掃された帯電ローラを用いることを特徴とするプロセスカートリッジまたは画像形成装置。
【発明の詳細な説明】
【０００１】
【発明の属する技術分野】
本発明は帯電ロ−ラ、特にリサイクル品として再使用される帯電ロ−ラの表面に付着したトナ−及び紙粉等を清掃する帯電ロ−ラの清掃装置に関する。
【０００２】
【従来の技術】
従来帯電ロ−ラの表面に付着したトナ−及び紙粉等の清掃は、作業者が水に浸したウエスを用いて綺麗になるまで軽く擦することによって行っていて、極めて作業効率が悪いものとなっており、また作業者によってその清掃度合いにばらつきが生じて２次作業工程が必要になるという問題があり、また作業者又は機械がブラシを使用して、帯電ロ−ラの表面を擦することによって行うことがあるが、この場合にはブラシの毛の直径が太いと、帯電ロ−ラの表面に傷を与え、反対に細くすると帯電ロ−ラの表面に固着し、又は付着したトナ−・紙粉等を満足できるように除去することができないという問題がある。
【０００３】
また溶剤を用いて洗浄しようとする場合、帯電ロ−ラの表面の特性に影響を与えることなく、洗浄することのできる溶剤を入手するのが困難であるという問題があり、また帯電ロ−ラの清掃装置に帯電ロ−ラ又はブラシの回転機構を設けると、それらを駆動又は制御する手段を設けなくてはならなくて、設備コストがかかるという問題があり、また帯電ロ−ラを廃棄するには、重量が大きいため過大な処理コストがかかるというような各種の問題がある。
【０００４】
【発明が解決しようとする課題】
そこでこれらの問題を解消することができるものとして、特開平６−２８９７５５号公報に開示されたような画像形成装置の帯電ロ−ラ、転写ロ−ラ、定着ロ−ラ等のロ−ラを、ケトン系溶媒又はケトンとアルコ−ルの混合溶媒で洗浄する帯電ロ−ラ洗浄装置が提供されている。
ところでこのような溶媒を使用すると、帯電ロ−ラの表面層の成分を抽出してしまって、帯電電位に影響があるというような問題がある。
【０００５】
そこで本発明の目的は、前記のような従来の帯電ロ−ラの清掃装置のもつ問題を解消し、帯電ローラ全面に、清掃回転ブラシを接触させて清掃することで効率よく短時間で、複数本の帯電ローラを清掃することができ、また清掃品質のばらつきがなく帯電ロ−ラ上に付着・固着したトナ−及び紙粉を除去することができる帯電ローラの清掃装置を提供するにある。
【０００６】
【課題を解決するための手段】
本発明は、前記のような目的を達成するために、請求項１に記載の発明は、清掃装置本体の清掃室の内部に回転ブラシを設けるとともに、清掃室の上部に着脱可能に開閉蓋を設け、清掃室に回転ブラシを回転させる駆動部材を設け、開閉蓋の裏面に帯電ローラを回転ブラシの表面に圧接して回転するように支持する回転ブラシ支持部材を設け、回転ブラシの回転によって、帯電ロ−ラ上に固着・付着したトナ−及び紙粉を清掃することを特徴とするものである。請求項２に記載の発明は、請求項１に記載の発明において、帯電ロ−ラを回転ブラシ上に乗せて接触させ、回転ブラシの回転によって帯電ロ−ラ上に固着・付着したトナ−及び紙粉を清掃することを特徴とするものである。請求項３に記載の発明は、請求項１又は２に記載の発明において、回転ブラシの毛の直径を０．５ｍｍ〜０．０５ｍｍとしたことを特徴とするものである。請求項４に記載の発明は、請求項１ないし３のいずれかに記載の発明において、帯電ロ−ラを回転ブラシへ低圧力で接触させ、ブラシの回転によって帯電ロ−ラを連れ回りさせることを特徴とするものである。
【０００７】
請求項５に記載の発明は、清掃装置本体の清掃室の内部に回転ブラシを設けるとともに、清掃室の上部に着脱可能に開閉蓋を設け、清掃室に回転ブラシを回転させる駆動部材を設け、開閉蓋の裏面に帯電ローラを回転ブラシの表面に圧接して回転するように支持する回転ブラシ支持部材を設け、清掃室へ給水する給水手段を設けていることを特徴とするものである。請求項６に記載の発明は、請求項５に記載の発明において、帯電ロ−ラを回転ブラシ上へ乗せて接触させ、回転ブラシの回転によって、帯電ロ−ラ上に固着・付着したトナ−及び紙粉を清掃することを特徴とするものである。請求項７に記載の発明は、請求項５又は６に記載の発明において、回転ブラシの毛の直径を０．５ｍｍ〜０．０５ｍｍとしたことを特徴とするものである。請求項８に記載の発明は、請求項５ないし７のいずれかに記載の発明において、帯電ロ−ラを回転ブラシへ低圧力で接触させ、回転ブラシの回転によって帯電ロ−ラを連れ回りさせることを特徴とするものである。
【０００８】
請求項８に記載の発明は、請求項１ないし８のいずれかに記載の帯電ローラの清掃装置により清掃された帯電ローラを用いることを特徴とするプロセスカートリッジまたは画像形成装置である。
【０００９】
【発明の実施の形態】
図面において、図１，２は請求項１〜４に記載された発明に属する第１実施形態を示し、図３，４は請求項５〜８に記載された発明に属する第２実施形態を示す。
【００１０】
第１実施形態を説明することとする。１は清掃装置本体を示していて清掃箱２を有し、この清掃箱２の前後壁４，５と、１対の側壁８とで清掃室９が構成され、清掃箱２には開閉蓋３が装着されているとともに、清掃箱２の前後壁４，５と、１対の側壁８とで清掃室９が構成され、この清掃室９内に、この実施形態では２個の回転ブラシ７が長手方向に配置され、その軸１０が図１に示すように、清掃箱２の前後壁４，５間に設立された１対の側壁８に回転可能に支持されている。
【００１１】
開閉蓋３の装着時に、この開閉蓋３の裏面に、図２に示すように、帯電ロ−ラ６を回転ブラシ７の表面に、圧接して回転させるように支持する帯電ロ−ラ６の支持部材１１が設けられており、この支持部材１１は、押さえパッド１２及び押さえリブ１３を有している
【００１２】
そして清掃箱２内には、図１に示すように、回転ブラシ７の駆動モータ１６の駆動プーリ１８と、回転ブラシ７の受動プーリ１９とが配置されていて、これらに駆動ベルト２０が懸張されている。そして清掃箱２の外に回転ブラシ７の駆動モータ１６の制御装置２４及びその操作盤２５が設けられていて、操作盤２５には回転オンスイッチ２１、回転オフスイッチ２２及び回転可変スイッチ２３が設けられている。
【００１３】
前記のような第１実施形態において、帯電ロ−ラ６の清掃を行う場合には、各請求項に記載された発明において、１例として請求項１に記載された発明を参照して説明することとすると、開閉蓋３を取り外して図１に示すように、清掃室９内に横架している各回転ブラシ７の上に、これと平行して１対の帯電ロ−ラ６を、図１，２に示すように載置する。そして開閉蓋３を被せると、その裏面に設けられている帯電ロ−ラ支持部材１１で帯電ロ−ラ６を回転ブラシ７に低圧力で接触させる。そして回転ブラシ７を回転すると、回転ブラシ７が帯電ロ−ラ６の表面を擦ってその表面に付着・固着しているトナ−及び紙粉等を清掃することとなる。
【００１４】
この場合回転ブラシ７の毛の直径が、請求項３に記載された発明のように、０．５ｍｍ〜０．０５ｍｍとなっているものを使用すると、従来例のように、ブラシの毛の直径が太すぎて帯電ロ−ラ６の表面に傷を与えたり、細すぎて帯電ロ−ラの表面に固着し、又は付着したトナ−・紙粉等を満足でるように除去することができないという問題を起こすことがない。
【００１５】
また請求項４に記載された発明のように、帯電ロ−ラ６を回転ブラシ７へ低圧力で接触させ、回転ブラシ７の回転によって帯電ロ−ラ６が連れ回りする発明にあっては、省エネ効果が大きいのに加えて、装置全体のコストを低減することができる。
【００１６】
つぎに図３，４に示す請求項５〜８に記載された発明に属する第２実施形態について説明する。この第２実施形態は、給水手段２６を取り付けた点で、第１実施形態と相違するだけである。そこでこの給水手段２６について説明する。２７は水供給タンク、２８は水供給パイプ、２９は水供給ポンプ、３０は水供給ポンプ２９の制御装置であって、オン・オフスイッチ３０が設けられている。
【００１７】
前記のような第２実施形態で帯電ローラ６の清掃を行なう場合には、制御装置３１を操作して、給水手段２６の水供給ポンプ２９が作動すると、水供給パイプ２８を介して、清掃箱２内に鎖線で示す水位まで給水し、この水に回転ブラシ７の一部を浸して第１実施形態におけると同様にして、回転ブラシ７によって帯電ローラ６の表面を擦ってその表面に付着しているトナー及び紙粉等を清掃する。
【００１８】
このようにして、第２実施形態においては、水を使用することによって、消耗品費を抑制すると同時に、回転ブラシ７と帯電ローラ６との摩擦を緩和し、また回転ブラシ７の回転によって、随時水を供給しながら清掃していることにより、帯電ローラ６の表面に付着したトナー及び紙粉の汚れを効率よく除去することができる。
【００１９】
【発明の効果】
本発明は前記のようであって、請求項１に記載の発明は、清掃装置本体の清掃室の内部に回転ブラシを設けるとともに、清掃室の上部に着脱可能に開閉蓋を設け、清掃室に回転ブラシを回転させる駆動部材を設け、開閉蓋の裏面に帯電ローラを回転ブラシの表面に圧接して回転するように支持する回転ブラシ支持部材を設け、回転ブラシの回転によって、帯電ロ−ラ上に付着・固着したトナ−及び紙粉を清掃するので、帯電ローラの全面に、清掃回転ブラシを接触させて清掃することで効率よく短時間で、複数本の帯電ローラを清掃することができ、また清掃品質にばらつきがなく帯電ロ−ラ上に付着・固着したトナ−及び紙粉を除去することができるという効果がある。請求項２に記載の発明は、請求項１に記載の発明において、帯電ローラを回転ブラシの上へ乗せて接触させ、回転ブラシの回転によって、帯電ロ−ラ上に付着・固着したトナ−及び紙粉を清掃するので、請求項１に記載の発明と同様な効果を有するとともに、作業が効率的にできると同時に、作業工数を低減（採算上の向上）することができるという効果がある。
請求項３に記載の発明は、請求項１又は請求項２に記載の発明において、清掃回転ブラシの毛の直径が０．５ｍｍ〜０．０５ｍｍのものを用いているので、請求項１又は請求項２に記載の発明と同様な効果を有するとともに、帯電ロ−ラ表面に傷を与えないで、効率良く短時間で帯電ロ−ラ上に付着・固着したトナ−及び紙粉を除去することができるという効果がある。請求項４に記載の発明は、請求項１ないし請求項３のいずれかに記載の発明において、帯電ロ−ラを回転ブラシへ低圧力で接触させ、回転ブラシの回転によって、帯電ロ−ラを連れ回りさせるので、請求項１ないし請求項３のいずれかに記載の発明と同様な効果を有するとともに、回転ブラシを駆動制御するだけで、帯電ロ−ラを清掃することができて、設備コストを抑制することができるという効果がある。
【００２０】
請求項５に記載の発明は、清掃装置本体の清掃室の内部に回転ブラシを設けるとともに、清掃室の上部に着脱可能に開閉蓋を設け、清掃室に回転ブラシを回転させる駆動部材を設け、開閉蓋の裏面に帯電ローラを回転ブラシの表面に圧接して回転するように支持する回転ブラシ支持部材を設け、清掃室へ給水する給水手段を設けているので、水を使用することで消耗品費を抑制すると同時に回転ブラシと帯電ローラとの摩擦の緩和を行い、また随時水を供給することによって、帯電ローラ上に付着・固着したトナー及び紙粉等の汚れを効率よく除去することができるという効果がある。請求項６に記載の発明は、請求項５に記載の発明において、帯電ロ−ラを回転ブラシ上に乗せて接触させ、回転ブラシの回転によって、帯電ロ−ラ上に固着・付着したトナー及び紙粉を清掃するので、請求項５に記載の発明と同様の効果を有するとともに、作業が効率的にできると同時に、工数を低減（採算性の向上）することができるという効果がある。また水を使用することで、消耗品費を抑制でき、また回転ブラシを押さえる作業が効率的にできると同時に、回転ブラシと帯電ロ−ラとの摩擦の緩和を行っている。また随時水を供給しながら回転ブラシで清掃を行なっているため、帯電ロ−ラ上に付着・固着したトナー及び紙粉等の汚れを効率よく除去することができるという効果がある。請求項７に記載の発明は、請求項５又は６に記載の発明において、回転ブラシの毛の直径が０．５ｍｍ〜０．０５ｍｍのものを用いているので、請求項５又は６に記載の発明のもつ効果を有するとともに、帯電ロ−ラの表面にきずを与えないで効率よく短時間に固着・付着したトナ−や粉末等を清掃することができるという効果がある。請求項８に記載の発明は、請求項５ないし７のいずれかに記載の発明において、帯電ロ−ラを回転ブラシへ低圧力で接触させ、回転ブラシの回転によって帯電ロ−ラを連れ回りさせるので、作業が効率的にできると同時に、作業工程を低減（採算上の向上）することができ、また回転ブラシを駆動制御するだけで、帯電ロ−ラを清掃することができて、設備コストを抑制することができるという効果がある。
【００２１】
請求項９に記載の発明は、プロセスカートリッジまたは画像形成装置が、請求項１ないし８のいずれかに記載の帯電ローラの清掃装置により清掃された帯電ローラを用いているので、その帯電ローラをプロセスカートリッジまたは画像形成装置へ再使用できて、資源消費・廃棄物の低減を図ることができるという効果がある。
【図面の簡単な説明】
【図１】図１は本発明の第１実施形態の作業時において清掃箱の開閉蓋を取外した状態を示す平面図である。
【図２】図２は同上の線ＩＩ−ＩＩによる切断面図である。
【図３】図３は本発明の第２実施形態の作業時における平面図である。
【図４】図４は同上の線ＩＶ−ＩＶによる切断面図である。
【符号の説明】
１  清掃装置本体          ２  清掃箱
３  開閉蓋                ４  前壁
５  後壁                  ６  帯電ロ−ラ
７  回転ブラシ            ８  側壁
９  清掃室                １０  軸
１１  支持部材            １２  押さえパッド
１３  押さえリブ          １６  駆動モータ
１８  駆動プーリ          １９  受動プーリ
２０  駆動ベルト          ２１  回転オンスイッチ
２２  回転オフスイッチ    ２３  回転可変スイッチ
２４  制御装置            ２５  操作盤
２６  給水手段            ２７  給水供給タンク
２８  水供給パイプ        ２９  水供給ポンプ
３０  オン・オフスイッチ  ３１  制御装置
【図１】
2004264477.tif 000003
【図２】
2004264477.tif 000004
【図３】
2004264477.tif 000005
【図４】
2004264477.tif 000006